(57)【要約】【課題】粘着テープの非粘着面側に切断刃を配置できるとともに、切断後に容易に粘着テープの切断端部に外側が非粘着面から成る折り返し部を形成できる。【解決手段】切断刃９を粘着テープ２の非粘着面２ｂ側において粘着テープ２の引き出し方向に回動可能に配設するとともに、切断刃９を引き出し方向とは反対方向に付勢するねじりコイルばね８を設け、さらに、切断刃９の引き出し側とは反対側における粘着テープ２の非粘着面２ｂ側に配置され、非粘着面２ｂが接触して巻き付けられ、かつ粘着テープ２の引き出しに伴って回転する回転ローラ１１と、弾性変形が可能であって、かつ粘着テープ２の引き出しとともに粘着テープ２の非粘着面２ｂを摺動し、切断刃９を粘着テープ２の引き出し方向に回動させるガイド部材１０とを設けた構成にしてある。【選択図】図１９
2007276952.tif 000002
【特許請求の範囲】
【請求項１】
一面に粘着面を、他面に非粘着面をそれぞれ有する粘着テープを収納可能な収納部と、この収納部に収納された上記粘着テープが引き出される引き出し部と、この引き出し部から引き出された上記粘着テープを切断する切断刃とを備えたものにあって、
上記切断刃を上記粘着テープの上記非粘着面側において上記粘着テープの引き出し方向に回動可能に配設するとともに、
上記切断刃を上記引き出し方向とは反対方向に付勢する付勢部材を設け、
さらに、上記切断刃の引き出し側とは反対側における上記粘着テープの非粘着面側に配置され、上記非粘着面が接触して巻き付けられ、かつ上記粘着テープの引き出しに伴って回転する回転ローラと、
弾性変形が可能であって、かつ上記粘着テープの引き出しとともに上記粘着テープの上記非粘着面を摺動し、上記切断刃を上記粘着テープの引き出し方向に回動させるガイド部材とを設けたことを特徴とするテープカッター装置。
【請求項２】
上記請求項１記載の発明において、
上記ガイド部材が、上記切断刃の前方に向かって突出するように並設された複数のコイルばねを含むことを特徴とするテープカッター装置。
【請求項３】
上記請求項１項記載の発明において、
記ガイド部材が、上記切断刃の前方に向かって突出するように複数並設され、それぞれ上記粘着テープの上記非粘着面に沿う湾曲部を有する線ばねを含むことを特徴とするテープカッター装置。
【請求項４】
上記請求項１項記載の発明において、
上記切断刃の先端部を、上記引き出し方向とは反対方向に折り曲げ形成したことを特徴とするテープカッター装置。
【請求項５】
上記請求項１〜４のいずれか１項記載の発明において、
上記ガイド部材による上記切断刃の引き出し方向の回動角度を調整可能な調整機構を備えたことを特徴とするテープカッター装置。
【発明の詳細な説明】
【技術分野】
【０００１】
本発明は、切断した粘着テープの切断端部を折り返して外側が非粘着部から成る折り返し部を形成することができるテープカッター装置に関する。
【背景技術】
【０００２】
この種の従来技術として、特許文献１に示されるものがある。この従来技術は、一面に粘着面を、他面に非粘着面をそれぞれ有する粘着テープを収納可能なリール、すなわち収納部と、粘着テープの粘着面側に回動可能に配置され、上述の収納部から指で摘んで引き出された粘着テープを切断する切断刃とを備えた構成になっている。また、切断された粘着テープの切断端部を切断刃との間で折り返して、摘み部すなわち、外側が非粘着部から成る折り返し部を形成する円筒状の待機部も備えた構成になっている。
【０００３】
このように構成される従来技術にあっては、粘着テープを必要箇所に貼り付ける際には、例えば貼り付け予定領域の全長に相当する長さとなるように、粘着テープの折り返し部を指先で摘んで引き出して貼り付けることが行われる。また、粘着テープが必要箇所に貼り付けられた後、剥がす際には、粘着テープの外側が非粘着部から成る折り返し部を指先で摘んで引っ張り上げることにより、その粘着テープを簡単に剥がすことができる。
【特許文献１】特許第２９５８３３１号公報
【発明の開示】
【発明が解決しようとする課題】
【０００４】
ところで、粘着テープの貼着作業の作業能率の向上のために、粘着テープを段ボール等の被貼着部材に貼り付ける際に、上述のように粘着テープを貼り付け予定領域の全長に相当する長さとなるように引き出して貼り付けるようなことをしないで、粘着テープの先端部だけを被貼着部材に貼り付け、その後引き続いて粘着テープを保持している本体側を移動させることによって、粘着テープを貼り付け予定領域に貼り付けたい場合がある。このようにして粘着テープを貼り付ける場合には、上述した従来技術の構成とは異なって、切断刃を粘着テープの粘着面とは反対側の面である非粘着面側に配置するようにしたい。しかしながら、単に切断刃を粘着テープの非粘着面側に配置しただけでは、被貼着部材から剥がすときに便利なものとなっている外側が非粘着部から成る折り返し部の形成は難しくなる。
【０００５】
本発明は、上述した従来技術における実状からなされたもので、その目的は、粘着テープの非粘着面側に切断刃を配置できるとともに、切断後に容易に粘着テープの切断端部に外側が非粘着面から成る折り返し部を形成できるテープカッター装置を提供することにある。
【課題を解決するための手段】
【０００６】
この目的を達成するために、本発明は、一面に粘着面を、他面に非粘着面をそれぞれ有する粘着テープを収納可能な収納部と、この収納部に収納された上記粘着テープが引き出される引き出し部と、この引き出し部から引き出された上記粘着テープを切断する切断刃とを備えたものにあって、上記切断刃を上記粘着テープの上記非粘着面側において上記粘着テープの引き出し方向に回動可能に配設するとともに、上記切断刃を上記引き出し方向とは反対方向に付勢する付勢部材を設け、さらに、上記切断刃の引き出し側とは反対側における上記粘着テープの非粘着面側に配置され、上記非粘着面が接触して巻き付けられ、かつ上記粘着テープの引き出しに伴って回転する回転ローラと、弾性変形が可能であって、かつ上記粘着テープの引き出しとともに上記粘着テープの上記非粘着面を摺動し、上記切断刃を上記粘着テープの引き出し方向に回動させるガイド部材とを設けたことを特徴としている。
【０００７】
このように構成した本発明は、粘着テープを段ボール等の被貼着部材に貼り付ける際には、まず最初に被貼着部材に粘着テープの先端部を貼り付ける。その後引き続いて収納部を含む本体側を移動させて粘着テープを引き出しながら、その引き出された粘着テープの部分を順次被貼着部材に貼り付けていく。この際、引き出し部からの粘着テープの引き出し操作に伴って、回転ローラが粘着テープの非粘着面と接触して回転するとともに、ガイド部材が適宜弾性変形しながら粘着テープの非粘着面を摺動する。このガイド部材の摺動により切断刃が付勢部材の付勢力に抗して粘着テープの引き出し方向に回動する。このようにして被貼着部材の貼り付け予定領域の全体に粘着テープが貼り付けられる。
【０００８】
その後この粘着テープが、その非粘着面側に配置された切断刃で切断される。この切断刃で切断された際に、付勢部材の付勢力によって切断刃及びガイド部材が粘着テープの引き出し方向と反対方向に回動し、この切断刃と回転ローラとの間で粘着テープの切断端部が折り返され、粘着テープの切断端部に、外側が非粘着面から成る折り返し部が形成される。このように本発明は、粘着テープの非粘着面側に切断刃を配置できるとともに、切断後に付勢部材の付勢力、及び切断刃を介して容易に粘着テープの切断端部に外側が非粘着部から成る折り返し部を形成できる。また、ガイド部材が適宜弾性変形しながら粘着テープの非粘着面を摺動して切断刃を開く方向に回動させることから、粘着テープを傷つけることなく被貼着部材に貼り付けることができるとともに、ガイド部材によって切断刃を円滑に開かせることができる。
【０００９】
また、本発明は上記発明において、上記ガイド部材が、上記切断刃の前方に向かって突出するように並設された複数のコイルばねを含むことを特徴としている。このように構成した本発明は、粘着テープの引き出しに伴う弾性変形を構成が簡単な複数のコイルばねによって容易に実現させることができる。
【００１０】
また、本発明は上記発明において、記ガイド部材が、上記切断刃の前方に向かって突出するように複数並設され、それぞれ上記粘着テープの上記非粘着面に沿う湾曲部を有する線ばねを含むことを特徴としている。このように構成した本発明は、粘着テープの引き出しに伴う弾性変形を構成が簡単な複数の線ばねによって容易に実現させることができる。
【００１１】
また、本発明は上記発明において、上記切断刃の先端部を、上記引き出し方向とは反対方向に折り曲げ形成したことを特徴としている。このように構成した本発明は、粘着テープの切断時に、折り曲げ形成された切断刃の先端部に粘着テープの切断端部の切断面が係合し、この切断面が切断刃の先端部に押圧されることによって、粘着テープの切断端部に確実に折り返し部を形成させることができる。
【００１２】
また、本発明は上記発明において、上記ガイド部材による上記切断刃の引き出し方向の回動角度を調整可能な調整機構を備えたことを特徴としている。このように構成した本発明は、調整機構によって、粘着テープの厚さ寸法に応じた最適な切断刃の回動角度に調整することができる。
【発明の効果】
【００１３】
本発明は、粘着テープの非粘着面側に切断刃を配置できるとともに、切断後に付勢部材の付勢力と切断刃を介して粘着テープの切断端部を折り返して、外側が非粘着面から成る折り返し部を形成できる。これにより、被貼着部材に貼り付けられた粘着テープを剥がす際に、折り返し部を把持して容易に粘着テープを剥がすことができ、また、粘着テープの本体側を移動させて行う粘着テープの貼着作業が可能となり、この粘着テープの貼着作業の作業能率を向上させることができる。
【００１４】
また、ガイド部材の弾性変形を介して粘着テープを傷付けることなく切断刃を円滑に開く方向に回動させて切断することができ、被貼着部材に貼り付けられる粘着テープを良好な品質に維持することができる。
【発明を実施するための最良の形態】
【００１５】
以下，本発明に係るテープカッター装置を実施するための最良の形態を図に基づいて説明する。
【００１６】
［本実施形態の構成］
図１は本発明に係るテープカッター装置において切断刃が閉じられた状態を示す側面図、図２は本実施形態において切断刃が回動して開かれた状態を示す要部拡大図である。図３は図１のＡ方向から見た図、図４は切断刃が開かれた状態を示す図３に対応する図、図５は図１のＢ方向から見た図、図６は切断刃が開かれた状態を示す図５に対応する図、図７は図１のＣ方向から見た図、図８は切断刃が開かれた状態を示す図７に対応する図である。
【００１７】
図９〜図１９は粘着テープの貼着動作を示す図で、図９は粘着テープの貼着作業開始直前の状態を示す側面図、図１０は粘着テープの貼着作業開始時の状態を示す側面図、図１１は粘着テープの貼着作業の途中の状態を示す側面図である。図１２は図１１に示す状態からさらに貼着作業が進行したときの状態を示す側面図、図１３は図１２の状態にほぼ対応させてあり、要部を断面した拡大側面図である。図１４は粘着テープの切断時の状態を示す側面図、図１５は図１４の状態にほぼ対応させてあり、要部を断面した拡大側面図である。図１６は粘着テープの切断直後の状態を示す側面図、図１７は図１６の状態にほぼ対応させてあり、要部を断面した拡大側面図である。図１８は粘着テープに折り返し部が形成された状態を示す側面図、図１９は粘着テープ貼着動作を示す図で、図１８の状態にほぼ対応させてあり、要部を断面した拡大側面図である。
【００１８】
本実施形態に係るテープカッター装置は、図１に示すように、本体１と、この本体１に含まれ、一面に粘着面２ａを、他面に非粘着面２ｂをそれぞれ有する粘着テープ２を収納可能な収納部３と、この収納部３に収納された粘着テープ２が引き出される引き出し部４とを備えている。この引き出し部４には、引き出された粘着テープ２の粘着面２ａが接触して回転するローラ部材１２が含まれている。本体１を形成するフレーム１ａには、収納部３に収納された粘着テープ２の外周面に対向するように配置される把手１３が取り付けられている。
【００１９】
また、本体１を形成するフレーム１ａには、図８，１３等に示すねじ２２によって枠体５が固定され、図２，５，１３等に示すように、枠体５には、軸２５を介してレバー１５が回動可能に装着されている。上述の枠体５には、図１３等に示すように、切り欠き形成された係止部５ａと、粘着テープ２側の端部に設けられる規制部５ｂを形成してある。また、レバー１５には、貼着作業者の指が係止可能な折り曲げ部１５ａを形成してある。
【００２０】
図１３等に示すように、レバー１５には、ねじ１６によって粘着テープ２を切断する切断刃９を固定してある。この切断刃９は粘着テープ２の非粘着面２ｂ側に配置され、レバー１５を介して粘着テープ２の引き出し方向に回動可能になっている。この切断刃９の先端部９ａは、粘着テープ２の引き出し方向とは反対方向に折り曲げ形成してある。
【００２１】
また、上述したレバー５の粘着テープ２側の端部には、切断刃９への接触を防ぐガード２６を形成してある。このガード２６には、図４等に示すように、粘着テープ２の引き出し方向と直交する方向に延設される引張コイルばね２３，２４を保持させてある。
【００２２】
また、枠体５に設けた軸２５には、図１３等に示すように、一端がレバー１５に係止され、他端が枠体５に係止されるねじりコイルばね８を装着させてある。このねじりコイルばね８は、レバー１５に取り付けられた切断刃９を、粘着テープ２の引き出し方向とは反対方向に付勢する付勢部材を構成している。
【００２３】
また、本実施形態は、レバー１５に取り付けられた切断刃９の回動角度を調整可能な調整機構を備えている。この調整機構は、図１３等に示すように、レバー１５に固定したナット１９と、このナット１９に螺合されるねじ２０と、このねじ２０に螺合され、ナット１９に係止される締付ナット２１と、ねじ２０の端部が係止される上述の枠体５の係止部５ａとによって構成されている。
【００２４】
また、切断刃９の引き出し側とは反対側における粘着テープ２の非粘着面２ｂ側に位置する本体１のフレーム１ａには、粘着テープ２の非粘着面２ｂが接触して巻き付けられ、かつ粘着テープ２の引き出しに伴って回転する回転ローラ１１を配置してある。
【００２５】
この回転ローラ１１は、フレーム１ａに固定した軸６に装着させてあり、例えば軸６に固定した軸受６ａと回転ローラ１１の端面との間には、粘着テープ２の引き出しに伴って回転ローラ１１が回り過ぎないように規制する摺動抵抗を与える金属製の部材から成る規制部材７を配置してある。
【００２６】
特に本実施形態は、弾性変形が可能であって、かつ粘着テープ２の引き出しとともに粘着テープ２の非粘着面２ｂを摺動し、切断刃９を粘着テープ２の引き出し方向に回動させるガイド部材１０を設けてある。このガイド部材１０は、図１〜３等に示すように、テープ２の引出し方向と直交する方向に延設される合成樹脂製の円柱部材１０ａと、この円柱部材１０ａに装着させた引張コイルばね１０ｂと、円柱部材１０ａに取り付けられ、円柱部材１０ａに装着された引張コイルばね１０ｂが円柱部材１０ａから脱落しないように係止させるねじ１０ｃと、切断刃９の前方に向かって突出するように並設された複数、例えば３本の引張コイルばね１０ｄとを含んでいる。引張コイルばね１０ｄのそれぞれの一端は、ねじ１８によってレバー１５に固定された合成樹脂製の支持部材１７内に挿入されて例えば接着固定され、引張コイルばね１０ｄのそれぞれの他端は、円柱部材１０ａ内に挿入されて接着固定されている。
【００２７】
［粘着テープの貼着作業］
上述した図９〜１９に基づいて、粘着テープ２を被貼着部材である段ボール１４に貼り付ける本実施形態における貼着作業について以下に説明する。
【００２８】
粘着テープ２を段ボール１４に貼り付けるに際しては、例えば図９に示すように、把手１３に手のひらを当接し、収納部３に収納された粘着テープ２を挟持した状態で回転ローラ１１を段ボール１４に近づけ、図１０に示すように、回転ローラ１１で粘着テープ２の先端部分、すなわち折り返し部２ｃの根元付近を段ボール１４に貼り付ける。そして、図１１〜１３に示すように、本体１側を貼り付け予定領域に沿って移動させる。この間、回転ローラ１１を段ボール１４に押し付ける動作によって、ガイド部材１０の円柱部材１０ａに装着した引張コイルばね１０ａが粘着テープ２の非粘着面２ｂを摺動し、適宜撓められた引張コイルばね１０ｄのそれぞれを介してレバー１５が粘着テープ２の引き出し方向に回動し、このレバー１５と一体に切断刃９が、ねじりコイルばね８の付勢力に抗して開く方向に回動する。また、本体１を移動させる動作に伴ってローラ部材１２が回転するとともに、回転ローラ１１が規制部材７による軽い摺動抵抗を受けながらも回転する。また、ガイド部材１０の引張コイルばね１０ａが粘着テープ２の非粘着面２ｂ上を摺動する動作に伴って、引張コイルばね１０ｄの付勢力によって引張コイルばね１０ａと回転ローラ１１との間の粘着テープ２の部分に張力が与えられ、粘着テープ２を段ボール１４にしっかりと貼り付けることができる。
【００２９】
粘着テープ２が貼り付け予定領域の全体にわたって引き出され、切断位置に至った際に、例えばレバー１５の折り曲げ部１５ａに指を掛けて、この折り曲げ部１５ａを引上げるようにすると、図１４，１５に示すように、粘着テープ２の非粘着面２ｂ側に配置された切断刃９によってこの粘着テープ２が切断される。なおこのとき、上述のようにガイド部材１０の引張コイルばね１０ｄと、回転ローラ１１とを支点として粘着テープ２に張力が働き、この張力によってレバー１５、すなわちレバー１５と一体に設けられた切断刃９が大きく開いた状態において、粘着テープ２は切断刃９によって確実に切断される。
【００３０】
その切断直後には、図１６，１７に示すように、ねじりコイルばね８の付勢力によってレバー１５、すなわちレバー１５と一体に設けられた切断刃９が粘着テープ２の引き出し方向と反対方向に勢いよく戻ろうとするが、切断された粘着テープ２の端面が切断刃９の先端部９ａによって押し戻されることにより、また、粘着テープ２の引き出しに伴う回転ローラ１１慣性によるわずかな回転により、回転ローラ１１と切断刃９の先端部９ａとの間に位置する粘着テープ２の切断端部が枠体５の規制部５ｂに近づくように凹形状に撓められる。引き続くレバー１５及び切断刃９の回動によって、図１８，１９に示すように、粘着テープ２の切断端部が引張コイルばね２３，２４と、回転ローラ１１との間で挟圧され、粘着テープ２の切断端部の粘着面２ａどうしが接合し、この粘着テープ２の切断端部に、図１９に示すように、外側が非粘着面２ｂから成る折り返し部２ｃが形成される。
【００３１】
なお、折り返し部２ｃの形成に際して、粘着テープ２の凹形状となった切断端部が枠体５の規制部５ｂによってそれ以上枠体５方向へ進入しないように規制されるので、一定した長さ寸法の折り返し部２ｃとすることができる。また、引張コイルばね２３，２４と粘着テープ２とは線接触の状態となるので、仮に引張コイルばね２３等が粘着テープ２の粘着面２ａに接触することがあっても、次に粘着テープ２を段ボール１４に貼り付ける作業に際して、引張コイルばね２３等を粘着テープ２の折り返し部２ｃから容易に剥がして所望の粘着テープ２の貼着動作を行わせることができる。
【００３２】
段ボール１４に貼り付けられた粘着テープ２を剥がす際には、折り返し部２ｃを摘んで、例えば引っ張り上げることにより、容易に粘着テープ２を段ボール１４から剥がすことができる。
【００３３】
［本実施形態の効果］
以上のように構成した本実施形態によれば、上述のように粘着テープ２の非粘着面２ｂ側に切断刃９を配置できるとともに、切断後に切断刃９と回転ローラ１１との間で、すなわち切断刃９と一体に設けた引張コイルばね２３，２４と、回転ローラ１１との間で、粘着テープ２の切断端部を折り返して、外側が非粘着面２ｂから成る折り返し部２ｃを形成できる。これにより、段ボール１４に貼り付けられた粘着テープ２を剥がす際に、折り返し部２ｃを把持して容易に粘着テープ２を剥がすことができ、また、粘着テープ２の本体１側を移動させて行う粘着テープ２の貼着作業が可能となり、この粘着テープ２の貼着作業の作業能率を向上させることができる。
【００３４】
また、ガイド部材１０の引張コイルばね１０ｄそれぞれの弾性変形を介して、粘着テープ２を傷付けることなく切断刃９を円滑に開く方向に回動させて、この粘着テープ２を切断することができ、段ボール１４に貼り付けられる粘着テープ２を良好な品質に維持することができる。
【００３５】
また、粘着テープ２の引き出しに伴うガイド部材１０の弾性変形を、構成が簡単な３本の引張コイルばね１０ｄによって容易に実現でき、製作費を安くすることができる。
【００３６】
また、粘着テープ２の切断時に、折り曲げ形成された切断刃９の先端部９ａに粘着テープ２の切断端部の切断面が係合し、この切断面が切断刃９の先端部９ａに押し戻されることによって、粘着テープ２の切断端部に確実に折り返し部２ｃを形成させることができ、安定した折り返し部２ｃの形成機能を確保できる。
【００３７】
なお、調整機構に含まれる締付ナット２１をゆるめ、ねじ２０を適宜回転させることによって、ねじ２０の端部と枠体５の係止部５ａとの係止関係を調整することができるので、すなわち、レバー１５を介して切断刃９の回動角度を調整することができるので、粘着テープ２の厚さ寸法に応じた最適な切断刃９の回動角度に、すなわち切断が最も容易となる回動角度に調整することができる。これにより、粘着テープ２の厚さ寸法が変更される場合でも、安定した切断性能を確保することができる。
【００３８】
［別の実施形態］
図２０は本発明の別の実施形態を示す要部拡大図である。この別の実施形態は、上述した実施形態に備えられるガイド部材１０に代えて別の構成のガイド部材２９を備え、上述した実施形態に備えられる引張コイルばね２３，２４に代えて線ばね３２を備えた構成にしてある。その他の構成は、上述した実施形態と同等である。
【００３９】
この図２０に示す別の実施形態におけるガイド部材２９は、粘着テープ２の引き出し方向と直交する方向に延設される円柱部材３０と、この円柱部材３０に一端が固定され、切断刃９の前方に向かって突出するように同図２０の紙面と直交する方向に複数並設され、それぞれ粘着テープ２の非粘着面２ｂに沿う湾曲部３１ａを有する線ばね３１とを含んでいる。線ばね３１のそれぞれの他端は、レバー１５に固定されている。
【００４０】
また、線ばね３２も同図２０の紙面と直交する方向に複数並設され、例えば切断刃９に固定されている。これらの線ばね３２は、両端部分のそれぞれに切断された粘着テープ２の切断端部の非粘着面２ｂが接触する湾曲部３２ａ，３２ｂを有し、これらの湾曲部３２ａ，３２ｂ間の部分は、上述の図１６，１７で例示した切断直後の粘着テープ２の凹形状に沿う凹形状に形成してある。
【００４１】
このように構成した別の実施形態も、粘着テープ２を段ボール１４に貼り付ける貼着作業に際しては、粘着テープ２の引き出しに伴って線ばね２９が撓みながら、その湾曲部３１ａが粘着テープ２の非粘着面２ｂ上を摺動し、これによってレバー１５が回動して切断刃９が開き、粘着テープ２を傷付けることなく、線ばね３１の湾曲部３１ａと回転ローラ１１との間に張力を発生させて確実に切断できる。また切断直後、粘着テープ２の切断端部に折り返し部２ｃを形成する際に、回転ローラ１１と、線ばね３２の湾曲部３２ａ，３２ｂとの間で凹形状となった粘着テープ２の切断端部を挟圧して、確実に折り返し部２ｃを形成でき、上述した実施形態とほぼ同等の作用効果を得ることができる。
【００４２】
この別の実施形態も、粘着テープ２の引き出しに伴うガイド部材９の弾性変形を、構成が簡単な複数の線ばね３１によって容易に実現でき、製作費を安くすることができる。
【図面の簡単な説明】
【００４３】
【図１】本発明に係るテープカッター装置において切断刃が閉じられた状態を示す側面図である。
【図２】本実施形態において切断刃が回動して開かれた状態を示す要部拡大図である。
【図３】図１のＡ方向から見た図である。
【図４】切断刃が開かれた状態を示す図３に対応する図である。
【図５】図１のＢ方向から見た図である。
【図６】切断刃が開かれた状態を示す図５に対応する図である。
【図７】図１のＣ方向から見た図である。
【図８】切断刃が開かれた状態を示す図７に対応する図である。
【図９】粘着テープ貼着動作を示す図で、粘着テープの貼着作業開始直前の状態を示す側面図である。
【図１０】粘着テープ貼着動作を示す図で、粘着テープの貼着作業開始時の状態を示す側面図である。
【図１１】粘着テープ貼着動作を示す図で、粘着テープの貼着作業の途中の状態を示す側面図である。
【図１２】粘着テープ貼着動作を示す図で、図１１に示す状態からさらに貼着作業が進行したときの状態を示す側面図である。
【図１３】粘着テープ貼着動作を示す図で、図１２の状態にほぼ対応させてあり、要部を断面した拡大側面図である。
【図１４】粘着テープ貼着動作を示す図で、粘着テープの切断時の状態を示す側面図である。
【図１５】粘着テープ貼着動作を示す図で、図１４の状態にほぼ対応させてあり、要部を断面した拡大側面図である。
【図１６】粘着テープ貼着動作を示す図で、粘着テープの切断直後の状態を示す側面図である。
【図１７】粘着テープ貼着動作を示す図で、図１６の状態にほぼ対応させてあり、要部を断面した拡大側面図である。
【図１８】粘着テープ貼着動作を示す図で、粘着テープに折り返し部が形成された状態を示す側面図である。
【図１９】粘着テープ貼着動作を示す図で、図１８の状態にほぼ対応させてあり、要部を断面した拡大側面図である。
【図２０】本発明の別の実施形態を示す要部拡大図である。
【符号の説明】
【００４４】
１    本体
１ａ  フレーム
２    粘着テープ
２ａ  粘着面
２ｂ  非粘着面
２ｃ  折り返し部
３    収納部
４    引き出し部
５    枠体
５ａ  係止部（調整機構）
５ｂ  規制部
７    規制部材
８    ねじりコイルばね（付勢部材）
９    切断刃
９ａ  先端部
１０    ガイド部材
１０ａ  円柱部材
１０ｂ  引張コイルばね
１０ｃ  ねじ
１０ｄ  引張コイルばね
１１    回転ローラ
１４    段ボール（被貼着部材）
１５    レバー
１５ａ  折り曲げ部
１７    支持部材
１９    ナット（調整機構）
２０    ねじ（調整機構）
２１    締付ナット（調整機構）
２３    引張コイルばね
２４    引張コイルばね
２６    ガード
２９    ガイド部材
３０    円柱部材
３１    線ばね
３１ａ  湾曲部
３２    線ばね
３２ａ  湾曲部
３２ｂ  湾曲部
【図１】
2007276952.tif 000003
【図２】
2007276952.tif 000004
【図３】
2007276952.tif 000005
【図４】
2007276952.tif 000006
【図５】
2007276952.tif 000007
【図６】
2007276952.tif 000008
【図７】
2007276952.tif 000009
【図８】
2007276952.tif 000010
【図９】
2007276952.tif 000011
【図１０】
2007276952.tif 000012
【図１１】
2007276952.tif 000013
【図１２】
2007276952.tif 000014
【図１３】
2007276952.tif 000015
【図１４】
2007276952.tif 000016
【図１５】
2007276952.tif 000017
【図１６】
2007276952.tif 000018
【図１７】
2007276952.tif 000019
【図１８】
2007276952.tif 000020
【図１９】
2007276952.tif 000021
【図２０】
2007276952.tif 000022